(57)【特許請求の範囲】
【請求項１】
それぞれ合成樹脂製であって、中央に方形の開口部を具え、開口部の裏面両側に、互いに向かい合うように設けられた左右一対のガイド溝を備えて、畦に沿って縦に埋設されるゲート部材と、左右の側縁部を上記ガイド溝に対して昇降可能に、かつ、密に嵌合させる堰板との２部材からなり、前記ゲート部材は、四側面を適宜の奥行き幅を有して横長の長方形の枠形に連続する周面部により構成されており、左右の周面部と前記開口部との中間の表裏に、上下の周面部と連続する縦リブをそれぞれに立設し、この縦リブに直交させて、それぞれ左右の周面部の内面から、表側では開口部の側縁に達し、裏側ではガイド溝の外側部に達する多段の横リブを設けるとともに、開口部の下面を形成する下部の周面部の前縁から断面Ｌ字形に垂下する埋込み支持部を設け、前記堰板は、上記開口部に沿う正面部の背後側に、前記左右のガイド溝の間に適宜の奥行き幅を有して嵌合するようにロ字形に起立した嵌合部を設け、この嵌合部の左右両側にそれぞれ連続し、かつ、前記ガイド溝の溝幅と深さに対応する奥行きと幅を有して互いに向かい合うコ字形をなすように成形された側縁部を設けるとともに、上記嵌合部の内面を格子状に仕切る縦横のリブと側縁部の内面を横に仕切る複数段の横リブを設けてなる水田用給排水口。
【請求項２】
前記ゲート部材は、左右の側面に、高さ方向に突条をなす畦板との継手部をそれぞれ一体成形していることを特徴とする請求項１の水田用給排水口。
【請求項３】
前記ゲート部材の縦リブと横リブとの交差部と、前記堰板の縦横のリブの交差部は、それぞれ奥行き方向に柱状をなす補強部を有することを特徴とする請求項１の水田用給排水口。
【請求項４】
前記ゲート部材の埋込み支持部は、断面楔形の下縁を有することを特徴とする請求項１の水田用給排水口。
【請求項５】
前記堰板は、前記嵌合部の上面を、中央が奥行き方向に張り出す円弧縁に成形されていることを特徴とする請求項１の水田用給排水口。
【発明の詳細な説明】
【０００１】
【発明の属する技術分野】
この発明は、中央に方形の開口部を具え、開口部の両側に断面コ字形をなすように左右一対のガイド溝を設けて、畦に沿って縦に埋設されるゲート部材と、左右の側縁部を上記ガイド溝に対して昇降可能に、かつ、密に嵌合させる堰板とからなる水田用給排水口に関し、ゲート部材と堰板を共に合成樹脂の成形体とするとともに、水田に対して容易に設置でき、かつ、埋設状態を強固に保持できるようにしたことを特長とするものである。
【０００２】
【従来の技術】
従来のこの種の水口には、一般に縦溝を左右に対設したゲート部材をコンクリートで構築し、縦溝をガイドとして昇降する堰板を木製とするものが使用されているが、例えば実開平２ー９７４２３号公報あるいは実開平４ー１３８４２５号公報のように開口部とガイド溝を成形したゲート部材を、堰板と共に合成樹脂製にしたものも一般に市販され、用いられている。
【０００３】
【発明が解決しようとする課題】
上記先願の水田用給排水口は、ゲート部材の外形を縦の枡形に成形することにより、水田に安定良く設置することができ、かつ、水口近くの耕土の流出等を防止するとともに、堰板の昇降操作時とか、水口を通る水の流れに対抗できる埋設強度を具えさせるようにしていた。
【０００４】
この従来の合成樹脂製水口には、ゲート部材が枡形に成形されているために、水口の敷設が枡形の立体構造になり、設置するために費やされる水田面積と労力が大になるという設置上の欠点がある。さらに、形状上から合成樹脂の使用量が多いのでその分コスト高になるという製造上の欠点もあった。
【０００５】
そのために、この種の合成樹脂製水口において、必要な埋設強度を低下させることなく、水田への設置が容易にできて、かつ、成形に要する材料の使用量を軽減できるようにすることが解決すべき課題となっていた。
【０００６】
【課題を解決するための手段】
そこで本発明は、それぞれ合成樹脂製であって、中央に方形の開口部を具え、開口部の裏面両側に、互いに向かい合うように設けられた左右一対のガイド溝を備えて、畦に沿って縦に埋設されるゲート部材と、左右の側縁部を上記ガイド溝に対して昇降可能に、かつ、密に嵌合させる堰板との２部材からなり、前記ゲート部材は、四側面を適宜の奥行き幅を有して横長の長方形の枠形に連続する周面部により構成されており、左右の周面部と前記開口部との中間の表裏に、上下の周面部と連続する縦リブをそれぞれに立設し、この縦リブに直交させて、それぞれ左右の周面部の内面から、表側では開口部の側縁に達し、裏側ではガイド溝の外側部に達する多段の横リブを設けるとともに、開口部の下面を形成する下部の周面部の前縁から断面Ｌ字形に垂下する埋込み支持部を設け、前記堰板は、上記開口部に沿う正面部の背後側に、前記左右のガイド溝の間に適宜の奥行き幅を有して嵌合するようにロ字形に起立した嵌合部を設け、この嵌合部の左右両側にそれぞれ連続し、かつ、前記ガイド溝の溝幅と深さに対応する奥行きと幅を有して互いに向かい合うコ字形をなすように成形された側縁部を設けるとともに、上記嵌合部の内面を格子状に仕切る縦横のリブと側縁部の内面を横に仕切る複数段の横リブを設けてなる水田用給排水口を提供するものである。
【０００７】
上記の構成を有する本発明水口は、図１，２に示すように、開口部の両側に、周面部と縦リブ及び横リブとで構成される多段の枠形を表裏に横向きに具えることになるので、ゲート部材の外形が奥行き方向に幅の少ない薄形で、横長の長方形枠形をなすにも拘らず強度を十分に具えたものとなる。また、設置状態では埋設により上記多段の枠形の中が土で埋まるので、上方への抜け出しと左右の振れを阻止され、安定良く設置位置に保持される。
【０００８】
また、従来の枡形の水口に比べて本発明水口は投影床面積が小になるので、設置に費やされる水田面積の軽減と作業に要する労力の軽減ができる一方で、捻じれ方向の強度も十分に具えられているので、堰板の昇降操作時の振動とか、水の給排時の流れにも耐える強い水口が得られる。また、成形に要する材料の使用量も軽減される。
本発明は以上のようにして、前記の課題を解決したものである。
【０００９】
【発明の実施の形態】
図面に示す本発明の実施態様は、下記のとおりである。。
本発明水口は、それぞれ合成樹脂成形体からなるゲート部材Ａと堰板Ｂとの２部材により構成されている。
【００１０】
【実施例】
図１に示すように、ゲート部材Ａは、中央に流量に見合った間口を具えた横長で長方形の開口部１を具え、開口部１の裏側の両側に、断面コ字形をなすように左右一対のガイド溝２を縦に設け、四側面は、開口部１を中心にして横長に長方形の枠形に連続する周面部３ａ，３ｂ，３ｃ，３ｄにより構成されている。各周面部３ａ，３ｂ，３ｃ，３ｄは、水田への設置に適した適宜の奥行き幅を有し、開口部１はその奥行き幅の中間に位置し、背面側の中央部分に、堰板Ｂの嵌め込みと昇降操作を妨げないように縦の凹部１４を形成している。
【００１１】
またゲート部材Ａは、開口部１と左右の周面部３ａ，３ｂの中間に、上下の周面部３ｃ，３ｄと連続する縦リブ４を立設し、縦リブ４に直交して、それぞれ左右の周面部３ａ，３ｂの内側面から、表側では、図３に示すように開口部１の側縁に達する三角形をなし、裏側（図１，２）ではガイド溝２の外側部分に連続して台形をなす多段の横リブ５を設け、さらに、開口部１の下面を形成する下部の周面部３ｄの前縁から断面Ｌ字形に垂下する埋込み支持部６を備えている。
【００１１】
同じく図１に示すように、堰板Ｂは、開口部１の裏面側に沿う正面部７の背後側に、左右のガイド溝２の間に嵌合するように設けられたロ字形の嵌合部８を延設し、この嵌合部８の左右両側にそれぞれ連続させて、ガイド溝２の溝幅と深さとに対応する奥行きと幅を有して互いに向かい合うコ字形をなす側縁部９を設けるとともに、上記嵌合部８の内面を格子状に仕切る縦横のリブ１０と、側縁部８の内面を横に仕切る複数段の横リブ１１を設けている。
【００１２】
なおこの実施例において、ゲート部材Ａは、左右の外側面に高さ方向に沿って突条をなす継手部１２を一体成形し、この継手部１２には、図４に略示するように、該継手部１２の外形に沿った溝を備えた合成樹脂製畦板Ｃを接続できるようにしている。
【００１３】
また、ゲート部材Ａの縦リブ４と横リブ５との交差部と、堰板Ｂの縦横のリブ１０，１１の交差部は、それぞれ奥行き方向に円柱状をなす補強部１３を備えることにより、当該部分の撓みを防止し、強度をより増すように構成している。
また、ゲート部材Ａの周面部３ａ，３ｂと横リブ５との交差部と、堰板Ｂの側縁部９と横リブ１１との交差部も同様に柱状の補強部１３を有する。
【００１４】
更に前記ゲート部材Ａの埋込み支持部６は、下縁を断面楔形に形成することにより当該部分の埋設を容易にしている。
また、堰板Ｂは、前記嵌合部８の上面を、中央が奥行き方向に張り出す円弧縁に成形することにより、堰板Ｂを昇降する時の手掛かりとなるように構成されている。
【００１５】
以上のように構成したこの水口は、図４に示すように、水田Ｄの畦ｄに沿って縦に埋め込んで用いられるものであるが、１個所に設置して給排水用としたり、図示のように２個所に設けて給水と排水とに使い分けるようにすることは任意である。なお、同図中Ｅは用水路を示す。
【００１６】
図５に示すように水口に設置されたゲート部材Ａは、土中に埋め込まれる際に、開口部１をほぼ中心にして、下部の周面部３ｄと縦リブ４及び横リブ５とで構成される枠形の空間の中に侵入する土の堆積によりアンカー状に機能して、上方への抜け止めと振れ止めをされる。また、前縁下部に垂下する埋込み支持部６は用水路Ｅ側の土中に深くささるので、水田側の土圧、水圧に抗してゲート部材Ａを強固に保持する。
【００１７】
ゲート部材Ａともに設置された堰板Ｂは、図５に示す高さから押し下げれることにより、開口部１を開いて高い水位の水田の水を排水し、逆に用水路Ｅ側の水位が高い時は給水される。
堰板Ｂを開閉する時にゲート部材Ａに生ずる抵抗は、本ゲート部材Ａが横長の長方形であるところから十分にその力に耐えて埋設状態の安定を損なわれるとがない。
【００１８】
【発明の効果】
以上のように構成した本発明水田用給排水口は、前述のように薄形で投影床面積が従来の枡形のものに比べて著しく小さくなるので設置が容易になり、埋設に要する労力と水口の専有面積を軽減することができる。また、埋設状態の安定性を具備しているとともに小型軽量になるので材料の消費量が少なくコストダウンできるという効果がある。
【図面の簡単な説明】
【図１】図１は本発明の実施例１を裏側から示す分解斜視図
【図２】図２は組立状態を裏側から示す斜視図
【図３】図３は組立状態を表側から示す斜視図
【図４】図４は使用状態を略図で示す平面図
【図５】図５は実施例の使用状態を一部縦断側面図である。
【符号の説明】
Ａ  ゲート部材
Ｂ  堰板
１  開口部
２  ガイド溝
３  周面部（３ａ，３ｂ．３ｃ．３ｄ）
４  縦リブ
５  横リブ
６  埋込み支持部
７  正面部
８  嵌合部
９  側縁部
１０  リブ
１１  横リブ
１２  継手部
１３  補強部
１４  凹部
Ｃ  畦板
Ｄ  水田
ｄ  畦
Ｅ  用水路
【図１】
0003740649.tif 000002
【図２】
0003740649.tif 000003
【図３】
0003740649.tif 000004
【図４】
0003740649.tif 000005
【図５】
0003740649.tif 000006